Podtech/llm-jp-corpus-v4-ja_patent huggingface dataset:
【手続補正書】
【提出日】平成18年3月13日(2006.3.13)
【手続補正１】
【補正対象書類名】明細書
【補正対象項目名】特許請求の範囲
【補正方法】変更
【補正の内容】
【特許請求の範囲】
【請求項１】  正極板と隔離体と負極板とを有する発電要素を袋状単電池ケースに収納した非水電解質二次電池において、前記袋状単電池ケースが発電要素収納部とケース溶着部とその間の隙間の部分とを有し、前記隙間の部分と接するケース溶着部における最も幅の広い部分が、前記隙間の部分と発電要素収納部との境界を含む部位における電池ケース幅よりも広い構造を有することを特徴とする非水電解質二次電池。
【手続補正２】
【補正対象書類名】明細書
【補正対象項目名】００１１
【補正方法】変更
【補正の内容】
【００１１】
また、本発明になる非水電解質二次電池は、気密構造を有する袋状単電池ケースに、長円形巻回型発電要素がその巻回中心軸が袋状単電池ケースの開口面に垂直方向であるように収納されていることが好ましい。
【手続補正３】
【補正対象書類名】明細書
【補正対象項目名】００１２
【補正方法】変更
【補正の内容】
【００１２】
さらに、本発明になる非水電解質二次電池は、袋状単電池ケースの材質が金属ラミネート樹脂フィルムであることが好ましい。
【手続補正４】
【補正対象書類名】明細書
【補正対象項目名】００１３
【補正方法】変更
【補正の内容】
【００１３】
また、本発明になる非水電解質二次電池は、隙間の部分と接するケース溶着部における最も幅の広い部分が、前記隙間の部分と発電要素収納部との境界を含む部位における電池ケース幅よりも０．１ｍｍ以上広いことが好ましい。
【手続補正５】
【補正対象書類名】明細書
【補正対象項目名】００１４
【補正方法】変更
【補正の内容】
【００１４】
さらに、本発明になる非水電解質二次電池は、隙間の部分と接するケース溶着部における最も幅の広い部分が、前記隙間の部分と発電要素収納部との境界を含む部位における電池ケース幅よりも広い構造を有し、前記ケース溶着部の長さが０．２ｍｍ以上１５ｍｍ以下であることが好ましい。
【手続補正６】
【補正対象書類名】明細書
【補正対象項目名】００１５
【補正方法】変更
【補正の内容】
【００１５】
さらに、本発明になる非水電解質二次電池は、隙間の部分と接するケース溶着部における最も幅の広い部分が、前記隙間の部分と発電要素収納部との境界を含む部位における電池ケース幅よりも広い構造を有し、前記ケース溶着部の厚さが０．０３ｍｍ以上１ｍｍ以下であることが好ましい。
【手続補正７】
【補正対象書類名】明細書
【補正対象項目名】００１６
【補正方法】変更
【補正の内容】
【００１６】
さらに、本発明になる非水電解質二次電池は、電池重量が４ｇ以上であることが好ましい。
【手続補正８】
【補正対象書類名】明細書
【補正対象項目名】００１７
【補正方法】変更
【補正の内容】
【００１７】
さらに、本発明になる非水電解質二次電池は、電池ケース周囲の少なくとも一部において、ケース溶着部が存在しないことが好ましい。
【手続補正書】
【提出日】平成18年11月14日(2006.11.14)
【手続補正１】
【補正対象書類名】明細書
【補正対象項目名】請求項２
【補正方法】変更
【補正の内容】
【請求項２】
上記下層用塵芥積込装置は、
上記下層用投入室内に回転自在に設けられて該下層用投入室内に投入された塵芥を掻き上げる下層用回転板と、
上記下層用投入室内に揺動自在に設けられて上記下層用回転板によって掻き上げられた塵芥を上記下層収容室内に押し込む下層用押込板とを有し、
上記上層用塵芥積込装置は、
上記上層用投入室内に回転自在に設けられて該上層用投入室内に投入された塵芥を掻き上げる上層用回転板と、
上記上層用投入室内に揺動自在に設けられて上記上層用回転板によって掻き上げられた塵芥を上記上層収容室へ向かって押し上げる押上板と、
上記上層用投入室内に揺動自在に設けられて上記押上板によって押し上げられた塵芥を上記上層収容室内に押し込むと共に、上記上層収容室の後部開口を開閉する上層収容室開閉蓋とを有することを特徴とする請求項１に記載の塵芥収集車。
【手続補正２】
【補正対象書類名】明細書
【補正対象項目名】請求項３
【補正方法】変更
【補正の内容】
【請求項３】
上記下層用押込板は、
上記下層収容室内に塵芥を押し込む面に、塵芥の押し込み方向を上記下層収容室の中央部へ指向させる傾斜面を有し、
上記上層収容室開閉蓋は、
上記上層収容室内に塵芥を押し込む面に、塵芥の押し込み方向を上記上層収容室の中央部へ指向させる傾斜面を有することを特徴とする請求項２に記載の塵芥収集車。
【手続補正書】
【提出日】平成18年3月3日(2006.3.3)
【手続補正１】
【補正対象書類名】特許請求の範囲
【補正対象項目名】全文
【補正方法】変更
【補正の内容】
【特許請求の範囲】
【請求項１】
支軸を中心に一方向に回転し、外周に回転刃を有するカッタドラムと、カッタドラムに対向配置した固定カッタとを具備した回転カッタ装置であって、
前記カッタドラムの周面に複数の孔を露出して形成し、
前記カッタドラムの下部には、前記孔の他端の露出端の通過軌跡上に負圧溝と、排気溝とを直列的に形成した分配器を配置し、
前記カッタドラムの周速度をシート状物の供給速度に対し相対的に大きくし、
シート状物の切断直前から切断直後の区間に亘り、前記分配器の負圧溝を形成したことを特徴とする、
回転カッタ装置。
【請求項２】
支軸を中心に一方向に回転し、外周に回転刃を有するカッタドラムと、カッタドラムに対向配置した固定カッタとを具備した回転カッタ装置であって、
前記カッタドラムの周面に吸引孔を露出して形成すると共に、
前記カッタドラムの円周面であって、前記吸引孔に対してドラムの回転方向側の周面に吸排孔を露出して形成し、
前記カッタドラムの下部には分配器を配置し、
前記分配器には、前記吸引孔の他端の露出端の通過軌跡上に外負圧溝を形成すると共に、前記吸排孔の他端の露出端の通過軌跡上に内負圧溝と内排気溝とを直列的に形成し、
前記カッタドラムの周速度をシート状物の供給速度に対し相対的に大きくし、
シート状物の切断直前から切断直後の区間に亘り、前記分配器の内負圧溝を形成したことを特徴とする、
回転カッタ装置。
【請求項３】
請求項１または請求項２において、前記カッタドラムから切断済みのシート状物を剥離して他のドラムへ受け渡す範囲に亘って形成した吸排溝または内吸排溝へエアを供給することを特徴とする、回転カッタ装置。
【請求項４】
請求項２または請求項３において、カッタドラムの周面に露出して形成する吸排孔をカッタドラムの回転方向に沿って複数形成したことを特徴とする、回転カッタ装置。
【請求項５】
請求項２または請求項３において、前記分配器に、吸引孔の他端の露出端の通過軌跡上に外負圧溝と、大気孔とを直列的に形成したことを特徴とする、回転カッタ装置。
【手続補正２】
【補正対象書類名】明細書
【補正対象項目名】０００５
【補正方法】変更
【補正の内容】
【０００５】
本発明は、支軸を中心に一方向に回転し、外周に回転刃を有するカッタドラムと、カッタドラムに対向配置した固定カッタとを具備した回転カッタ装置であって、前記カッタドラムの周面に複数の孔を露出して形成し、前記カッタドラムの下部には、前記孔の他端の露出端の通過軌跡上に負圧溝と、排気溝とを直列的に形成した分配器を配置し、前記カッタドラムの周速度をシート状物の供給速度に対し相対的に大きくし、シート状物の切断直前から切断直後の区間に亘り、前記分配器の負圧溝を形成したことを特徴とする、回転カッタ装置を提供する。
より具体的には、支軸を中心に一方向に回転し、外周に回転刃を有するカッタドラムと、カッタドラムに対向配置した固定カッタとを具備した回転カッタ装置であって、前記カッタドラムの周面に吸引孔を露出して形成すると共に、前記カッタドラムの円周面であって、前記吸引孔に対してドラムの回転方向側の周面に吸排孔を露出して形成し、前記カッタドラムの下部には分配器を配置し、前記分配器には、前記吸引孔の他端の露出端の通過軌跡上に外負圧溝を形成すると共に、前記吸排孔の他端の露出端の通過軌跡上に内負圧溝と内排気溝とを直列的に形成し、前記カッタドラムの周速度をシート状物の供給速度に対し相対的に大きくし、シート状物の切断直前から切断直後の区間に亘り、前記分配器の内負圧溝を形成したことを特徴とする、回転カッタ装置を提供する。
また前記した何れかの回転カッタ装置において、前記カッタドラムから切断済みのシート状物を剥離して他のドラムへ受け渡す範囲に亘って形成した吸排溝または内吸排溝へエアを供給することを特徴とする、回転カッタ装置を提供する。
また前記した何れかの回転カッタ装置において、カッタドラムの周面に露出して形成する吸排孔をカッタドラムの回転方向に沿って複数形成したことを特徴とする、回転カッタ装置を提供する。
また前記した何れかの回転カッタ装置において、前記分配器に、吸引孔の他端の露出端の通過軌跡上に外負圧溝と、大気孔とを直列的に形成したことを特徴とする、回転カッタ装置を提供する。
【手続補正書】
【提出日】平成18年4月18日(2006.4.18)
【手続補正１】
【補正対象書類名】特許請求の範囲
【補正対象項目名】全文
【補正方法】変更
【補正の内容】
【特許請求の範囲】
【請求項１】
作動要求に基づいて制御目標を生成し、生成された制御目標を用いて、対応するアクチュエータを操作することにより車両の走行状態を制御する制御ユニットと、
前記制御ユニットとネットワークにより接続され、前記制御ユニットにおいて前記作動要求または前記制御目標を必要に応じて変更するために用いられる付加情報を生成して、前記制御ユニットに出力する処理ユニットとを含む車両の制御システムの異常検知装置であって、
前記異常検知装置は、制御負荷が低い制御ユニットに設けられ、
制御負荷が高い処理ユニットに情報を出力するための出力手段と、
前記処理ユニットから前記情報に対応する回答を受信するための受信手段と、
前記情報と前記回答とに基づいて、前記処理ユニットの異常を検知するための検知手段とを含む、異常検知装置。
【請求項２】
前記情報は処理ユニットにおける演算用の入力データであって、
前記受信手段は、前記処理ユニットにおいて予め定められた演算に前記入力データを代入した演算結果を回答として受信するための手段を含む、請求項１に記載の異常検知装置。
【請求項３】
前記制御ユニットは、自己の異常を診断するための診断手段をさらに含む、請求項１または２に記載の異常検知装置。
【請求項４】
前記制御ユニットは、多重化された演算ユニットにより構成される、請求項１〜３のいずれかに記載の異常検知装置。
【請求項５】
前記制御ユニットは、前記検知手段により前記処理ユニットの異常が検知されると、前記処理ユニットからの付加情報を反映させた制御を中止するように判断するための手段をさらに含む、請求項１〜４のいずれかに記載の異常検知装置。
【請求項６】
前記制御ユニットは、車両の動作を制御する複数の制御ユニットから構成され、
前記制御ユニットは、前記複数の制御ユニットに含まれる検知手段による、複数の検知結果に基づいて、前記処理ユニットの異常を検知するための手段をさらに含む、請求項１〜５のいずれかに記載の異常検知装置。
【請求項７】
前記複数の制御ユニットには、異常検知についての優先順位が定められる、請求項６に記載の異常検知装置。
【請求項８】
前記優先順位は、制御負荷が低い制御ユニットであるほど、優先順位が高くなるように設定される、請求項７に記載の異常検知装置。
【請求項９】
作動要求に基づいて制御目標を生成し、生成された制御目標を用いて、対応するアクチュエータを操作することにより車両の走行状態を制御する制御ユニットと、
前記制御ユニットとネットワークにより接続され、前記制御ユニットにおいて前記作動要求または前記制御目標を必要に応じて変更するために用いられる付加情報を生成して、前記制御ユニットに出力する処理ユニットとを含む車両の制御システムの異常検知装置であって、
前記異常検知装置は、前記制御ユニットに設けられ、
前記処理ユニットに情報を出力するための出力手段と、
前記処理ユニットから前記情報に対応する回答を受信するための受信手段と、
前記情報と前記回答とに基づいて、前記処理ユニットの異常を検知するための検知手段とを含み、
前記車両の制御システムにおけるユニットは階層化されて構成され、
前記制御ユニットは、前記処理ユニットよりも下位に配置される、異常検知装置。
【手続補正書】
【提出日】平成18年2月10日(2006.2.10)
【手続補正１】
【補正対象書類名】特許請求の範囲
【補正対象項目名】全文
【補正方法】変更
【補正の内容】
【特許請求の範囲】
【請求項１】
車輪毎にタイヤ状態を検出するセンサが設けられ、相異なる識別表示がユーザの視認可能な位置に付されている車輪と、
前記センサにより検出されたタイヤ状態情報と前記識別表示の情報を共に送信する送信手段と、
前記センサが設けられている車輪の前記車両への装着位置と前記識別表示との対応関係をユーザに入力させるユーザ入力手段と、
入力された前記対応関係に基づいて、前記タイヤ状態情報を前記車輪の装着位置に対応させてユーザに通知する通知手段と、
を備えることを特徴とするタイヤ状態通知装置。
【請求項２】
前記通知手段は、前記ユーザ入力手段による入力の際に、前記識別表示と前記車輪の装着位置との対応をユーザが視覚的に確認可能な画面を表示することを特徴とする請求項１に記載のタイヤ状態通知装置。
【請求項３】
前記タイヤ状態情報に基づいてタイヤの異常を判定する判定手段をさらに備え、
前記通知手段は異常と判定されたタイヤの装着位置を表示することを特徴とする請求項２に記載のタイヤ状態通知装置。
【請求項４】
前記センサには固有の識別番号が予め付与されており、前記識別表示は前記識別番号と関連付けられていることを特徴とする請求項１に記載のタイヤ状態通知装置。
【手続補正２】
【補正対象書類名】明細書
【補正対象項目名】発明の名称
【補正方法】変更
【補正の内容】
【発明の名称】タイヤ状態通知装置
【手続補正３】
【補正対象書類名】明細書
【補正対象項目名】０００１
【補正方法】変更
【補正の内容】
【０００１】
本発明は、車輪に設けられたセンサで検出されたタイヤ空気圧などのタイヤ状態情報を車輪の装着位置と対応させて通知可能なタイヤ状態通知装置に関する。
【手続補正４】
【補正対象書類名】明細書
【補正対象項目名】０００５
【補正方法】変更
【補正の内容】
【０００５】
本発明はこうした状況に鑑みてなされたものであり、その目的は、車輪に設けられたセンサで検出されたタイヤ状態情報を車輪の装着位置と対応させて通知するとともに、この対応付けを簡単かつ正確に行える技術を提供することにある。
【手続補正５】
【補正対象書類名】明細書
【補正対象項目名】０００６
【補正方法】変更
【補正の内容】
【０００６】
上記課題を解決するために、本発明のある態様は、車輪毎にタイヤ状態を検出するセンサが設けられ、相異なる識別表示がユーザの視認可能な位置に付されている車輪と、前記センサにより検出されたタイヤ状態情報と前記識別表示の情報を共に送信する送信手段と、前記センサが設けられている車輪の前記車両への装着位置と前記識別表示との対応関係をユーザに入力させるユーザ入力手段と、入力された前記対応関係に基づいて、前記タイヤ状態情報を前記車輪の装着位置に対応させてユーザに通知する通知手段とを備えるタイヤ状態通知装置を提供する。
【手続補正６】
【補正対象書類名】明細書
【補正対象項目名】０００７
【補正方法】変更
【補正の内容】
【０００７】
ここで「タイヤ状態」とは、タイヤの空気圧、温度、接地面のウェット／ドライ情報、タイヤの摩耗量、加速度、歪みなど、車輪に設けたセンサで取得される物理量のことを指す。また、「識別表示」とは、外部から観察でき、かつユーザが簡単に理解、記憶できる表示のことを指し、例えば、色、数字、符号、アルファベット、図形などを含む。この識別表示は、タイヤの空気バルブなどのタイヤから分離されない場所に付加される。「ユーザ入力手段」には、ボタン、タッチパネルなどが含まれる。「通知手段」とは、一例では車室内に備えられたＬＣＤであるが、カーナビゲーションシステムの画面やＬＥＤを用いた表示であってもよい。車両外部に情報を送信可能な送信機を備えている場合には、ハンディタイプの検査装置に表示をする場合も含む。また、警報音による通知も含む。
【手続補正７】
【補正対象書類名】明細書
【補正対象項目名】０００８
【補正方法】変更
【補正の内容】
【０００８】
この態様によると、センサにより検出されたタイヤ状態情報と識別表示が車輪から送信されてくると共に、前記センサが設けられている車輪の車両への装着位置と前記識別表示との対応をユーザに入力させるので、タイヤ状態通知装置はタイヤ状態情報を車輪の装着位置に対応させてユーザに通知することができる。また、各車輪から送信されてくるタイヤ状態情報がどの車輪に対応するかを決定することができないような構成の車両であっても、タイヤ状態通知装置は、センサによるタイヤ状態の検出に先立って輪判定を実行したり、センサの識別番号を車輪の装着位置に対応させてプログラムしておいたりする必要がない。
【手続補正８】
【補正対象書類名】明細書
【補正対象項目名】０００９
【補正方法】変更
【補正の内容】
【０００９】
前記通知手段は、前記ユーザ入力手段による入力の際に、前記識別表示と前記車輪の装着位置との対応をユーザが視覚的に確認可能な画面を表示してもよい。
【手続補正９】
【補正対象書類名】明細書
【補正対象項目名】００１１
【補正方法】変更
【補正の内容】
【００１１】
タイヤ状態通知装置は、前記タイヤ状態情報に基づいてタイヤの異常を判定する判定手段をさらに備えてもよい。この場合、前記通知手段は、異常と判定された車輪の装着位置を表示する。この態様によると、異常が発生した車輪の装着位置を視覚的に確認できるので、ユーザは異常を速やかに把握することができる。
【手続補正１０】
【補正対象書類名】明細書
【補正対象項目名】００１４
【補正方法】変更
【補正の内容】
【００１４】
本発明によるタイヤ状態通知装置によれば、車輪に設けられたセンサで検出されたタイヤ状態情報を車輪の装着位置と対応させてユーザに通知することができ、またこの対応付けを簡単かつ正確に行うことができる。
【手続補正書】
【提出日】平成17年11月25日(2005.11.25)
【手続補正１】
【補正対象書類名】特許請求の範囲
【補正対象項目名】全文
【補正方法】変更
【補正の内容】
【特許請求の範囲】
【請求項１】
下記の（１）〜（４）の層を放射方向に外側から内部へ向かってこの順番で有し且つ隣接した層がそれぞれの接触領域で互いに接着していることを特徴とする多層管：
（１）    外層となる加硫エラストマーの第１層、
（２）    ＥＶＯＨまたはＥＶＯＨべースの混合物から成る第２層、
（３）    ポリアミドをマトリクスとしたポリアミド（Ａ）とポリオレフィン（Ｂ）の混合物からなる第３層、
（４）    任意層としての加硫エラストマーの内層。
【手続補正書】
【提出日】平成18年10月4日(2006.10.4)
【手続補正１】
【補正対象書類名】特許請求の範囲
【補正対象項目名】全文
【補正方法】変更
【補正の内容】
【特許請求の範囲】
【請求項１】
伸縮自在なストラップ装置であって、
第１スリット及び第３スリットが形成され、第１スリットと第３スリットの間に画成された第１中間部材を有する第１ガイドと；
一端が第１中間部材に連結されたストラップと；
第１ガイドと対向して移動可能に配置され、第２スリット及び第４スリットが形成され、第２スリットと第４スリットの間に画成された第２中間部材を有する第２ガイドと；を備え、
ストラップの他端が第２スリット及び第４スリットを通って第１ガイドの方に戻り、次いで第１ガイドの第３スリット及び第１スリットを通って第２ガイドの方に戻り、次いで第２ガイドの第２スリットを通過しているストラップ装置。
【請求項２】
第２中間部材の第２スリット側の面が第４スリット側の面よりもストラップの延在方向に関して傾斜している請求項１に記載のストラップ装置。
【請求項３】
伸縮自在なストラップ装置であって、
ストラップが通過可能な開口が形成されたリングと；
上記リングと対向して移動可能に配置され、第２スリット及び第４スリットが形成され、第２スリットと第４スリットの間に画成された中間部材を有するガイドと；を備え、
ストラップの一端がリングまたは中間部材に連結されたストラップと；
ストラップの他端が第２スリット及び第４スリットを通ってリングの方に戻り、次いで上記開口を通ってガイドの方に戻り、次いでガイドの第２スリットを通過しているストラップ装置。
【請求項４】
請求項１から３のいずれか一項に記載のストラップ装置を備えるバッグ。
【手続補正書】
【提出日】平成18年10月10日(2006.10.10)
【手続補正１】
【補正対象書類名】特許請求の範囲
【補正対象項目名】全文
【補正方法】変更
【補正の内容】
【特許請求の範囲】
【請求項１】
サイドフレームに車輪を駆動するパワーユニットを取付けた電動車両であって、
前記パワーユニットが、電動モータと、この電動モータの回転軸に連結した減速機構と、この減速機構に設けたファイナルギヤに連結したドライブシャフトと、これらの電動モータ、減速機構の全体及びドライブシャフトの一部を収納するケースとからなる電動車両用パワーユニットにおいて、
前記ファイナルギヤの内側に前記ドライブシャフトの一端に備えた等速ジョントを配置するとともに、前記サイドフレームの下方に前記パワーユニットを配置したことを特徴とする電動車両用パワーユニット。
【手続補正２】
【補正対象書類名】明細書
【補正対象項目名】００１１
【補正方法】変更
【補正の内容】
【００１１】
請求項１に係る発明は、サイドフレームに車輪を駆動するパワーユニットを取付けた電動車両であって、パワーユニットが、電動モータと、この電動モータの回転軸に連結した減速機構と、この減速機構に設けたファイナルギヤに連結したドライブシャフトと、これらの電動モータ、減速機構の全体及びドライブシャフトの一部を収納するケースとからなる電動車両用パワーユニットにおいて、ファイナルギヤの内側にドライブシャフトの一端に備えた等速ジョントを配置するとともに、サイドフレームの下方にパワーユニットを配置したことを特徴とする。
【手続補正３】
【補正対象書類名】明細書
【補正対象項目名】００１２
【補正方法】変更
【補正の内容】
【００１２】
ファイナルギヤの内側に等速ジョントを配置することで、等速ジョイントの車両側方への突出量が小さくなる。また、左右のサイドフレームのそれぞれの下方にパワーユニットを配置したときに、左右のパワーユニット間の距離をより大きくすることができる。
【手続補正４】
【補正対象書類名】明細書
【補正対象項目名】００１４
【補正方法】変更
【補正の内容】
【００１４】
また、左右のサイドフレームのそれぞれの下方にパワーユニットを配置したときに、左右のパワーユニット間の距離をより大きくすることができ、左右のパワーユニット間に大きなスペースを形成することができる。従って、このスペース側へ車内スペースを拡大することができ、大きな車内スペースを確保することができる。
【手続補正５】
【補正対象書類名】明細書
【補正対象項目名】００３９
【補正方法】変更
【補正の内容】
【００３９】
１０…電動車両、１４…車輪（前輪）、３１，３２…サイドフレーム（フロントサイドフレーム）、３３，３４…パワーユニット（左パワーユニット、右パワーユニット）、５２…ドライブシャフト、５４，５５…等速ジョイント、６１…電動モータ、６２…回転軸、６３…動力伝達装置、６４…ケース（駆動ケース）、６６…減速機構、１２８…ファイナルギヤ（第４ギヤ）。
【手続補正書】
【提出日】平成18年8月31日(2006.8.31)
【手続補正１】
【補正対象書類名】特許請求の範囲
【補正対象項目名】全文
【補正方法】変更
【補正の内容】
【特許請求の範囲】
【請求項１】
運転席（１８）下方のエンジンルーム（２４）内に、ラジエータ（３１）と冷却ファン（３０）とを備えるエンジン（２３）を配設したコンバインにおいて、エンジンルーム（２４）の前側に吸風ダクト（３４）を設け、エンジン冷却風をエンジンルーム（２４）の前方から後方に向けて吸入排出するように構成すると共に、前記吸風ダクト（３４）を側面視で上部が狭く下部が広くなるように形成し、且つ吸風ダクト（３４）の前面（３４ａ）を前下がり傾斜状としたことを特徴とするコンバインにおけるエンジン冷却風の導風路。
【請求項２】
吸風ダクト（３４）の側方に吸風口（３４ｂ）を設けたことを特徴とする請求項１記載のコンバインにおけるエンジン冷却風の導風路。
【請求項３】
吸風ダクト（３４）の下側に吸風口（３５ｂ）を設けたことを特徴とする請求項１または請求項２記載のコンバインにおけるエンジン冷却風の導風路。
【請求項４】
エンジンルーム（２４）の後方に設けた籾袋受け部（２８）に、エンジン冷却風を直接排出するように構成したことを特徴とする請求項１ないし請求項３記載のコンバインにおけるエンジン冷却風の導風路。
【手続補正２】
【補正対象書類名】明細書
【補正対象項目名】００２４
【補正方法】変更
【補正の内容】
【００２４】
１８    運転席
２３    エンジン
２４    エンジンルーム
２８    籾袋受け部
３０    冷却ファン
３１    ラジエータ
３４    吸風ダクト
３４ａ  （吸風ダクトの）前面
３４ｂ  吸風口（吸風ダクトの側方）
３５ｂ  吸風口（吸風ダクトの下側）
【手続補正書】
【提出日】平成18年11月8日(2006.11.8)
【手続補正１】
【補正対象書類名】明細書
【補正対象項目名】００３７
【補正方法】変更
【補正の内容】
【００３７】
比較例４
＜画像付きフィルムの準備＞
スコッチプリント９５１２システム（スリーエム社製静電プリンター）でトライデント（Trident、スリーエム社製トランスファーメディア）に転写用デジタル画像を形成した。次に、オルカＩＩＩ（スリーエム社製ヒートラミネート）でアクリル系粘着剤付き白色塩化ビニル樹脂フィルム（スリーエム社製ER010）に画像を熱転写した。オルカＩＩＩの設定条件は、上部ロール温度：１３５℃、下部ロール温度：５０℃、スピード：７０ｃｍ／分、圧力：６０ｐｓｉであった。
透明保護フィルムを貼り付ける代わりに、ウレタン系透明樹脂（スリーエム社製GA3Sクリヤー）を乾燥後の塗布厚が２０μｍとなるようにナイフコーターを用いてコーティングし、透明樹脂層を設けた。
摩耗試験後の減少質量は０．５１ｇ、２３０回転後に粘着剤が露出した。
耐滑り性は満足できるものではなかった。
２０℃での伸び率は１００％以上、５℃での伸び率は２９％であり良好な伸び特性を有することが示された。
５℃環境下での剥離作業性は良好であり低温作業性はGoodと判断された。
【手続補正書】
【提出日】平成18年9月20日(2006.9.20)
【手続補正１】
【補正対象書類名】特許請求の範囲
【補正対象項目名】全文
【補正方法】変更
【補正の内容】
【特許請求の範囲】
【請求項１】
支持体上に平均二次粒子径５００ｎｍ以下の無機微粒子、ホウ素化合物及び樹脂バインダーを含有する層を含む、少なくとも２層の塗布層からなるインク受容層を設けたインクジェット用記録材料において、該インク受容層が一級アミノ基を分子内に２個以上有する化合物を含有せず、樹脂バインダーとしてケト基を有する樹脂バインダーを含有し、且つ隣接するインク受容層が樹脂バインダーとしてケト基を有する樹脂バインダーを含有せず、一級アミノ基を分子内に２個以上有する化合物を含有するように同時塗布されてなることを特徴とするインクジェット用記録材料。
【請求項２】
支持体上に平均二次粒子径５００ｎｍ以下の無機微粒子、ホウ素化合物及び樹脂バインダーを含有する層を含む、少なくとも２層の塗布層からなるインク受容層を設けたインクジェット用記録材料の製造方法において、該インク受容層が一級アミノ基を分子内に２個以上有する化合物を含有せず、樹脂バインダーとしてケト基を有する樹脂バインダーを含有し、且つ隣接するインク受容層が樹脂バインダーとしてケト基を有する樹脂バインダーを含有せず、一級アミノ基を分子内に２個以上有する化合物を含有する塗布液を同時塗布し、１０℃以下の冷風で塗布液を不動化させた後、乾燥終了点の温度が５０℃以上で乾燥することを特徴とするインクジェット用記録材料の製造方法。
【手続補正書】
【提出日】平成18年11月9日(2006.11.9)
【手続補正１】
【補正対象書類名】明細書
【補正対象項目名】０００４
【補正方法】変更
【補正の内容】
【０００４】
また、特許文献２には、ヘリコプターのローターハブ等の航空機一次構造材としての厚肉部品を、高い寸法精度を確保し、且つ成形割れ、ボイド等の内部欠陥を無くして内部品質を良好にする成形法として、マッチドダイ方式の成形治具内に、樹脂を含浸した強化繊維材料を積層充填し、次に必要に応じ型閉じ前に成形治具内を真空引きして積層充填した材料を真空状態にし、次いで成形治具の型閉め及び加熱を行い、積層充填した材料から樹脂をトラップにオーバーフローさせ、このオーバーフローさせた樹脂を介して外部より成形治具内部の積層充填材料を加圧して成形することを特徴とする複合材製品の製造方法が開示されている。
【手続補正２】
【補正対象書類名】明細書
【補正対象項目名】００１６
【補正方法】変更
【補正の内容】
【００１６】
本発明は、前記課題、つまり、ＦＲＰ製の外板部材を表面ピットの無い状態で成形可能となるＦＲＰ製成形体の製造方法について、鋭意検討し、その成形金型同士のシール部を、弾性材料からなる中空の紐状体という特定なシール材で構成し、かつ、該紐状体の中空部の中空率を、型締め前の状態で該紐状体の長手方向の少なくとも一部で０％にしてみたところ、かかる課題を一挙に解決することを究明したものである。
【手続補正３】
【補正対象書類名】明細書
【補正対象項目名】００２７
【補正方法】変更
【補正の内容】
【００２７】
また、シール溝の形状は、上記図２および図３の態様の他、図４の各断面図に例を示すように、シール断面が逆Ｕ字（e）、丸（b）、楕円（c）、四角（d）、三角（f）、六角形などの各種形状の断面などとできるが、シール材の形状と必ずしも一致する必要はなく、紐状体と金型との接触面積を大きくするために、四角断面のシール溝に丸断面の紐状体をセットしても差し支えない。この場合、紐状体とシール溝の間に形成される空間が紐状体の変形の緩和空間となり、紐状体の寿命を向上させる役割も果たす。
【手続補正４】
【補正対象書類名】明細書
【補正対象項目名】００５６
【補正方法】変更
【補正の内容】
【００５６】
続いて、実施例１と全く同様にして、該スポイラー外板を＃１０００のパーパーで水研、バフ研磨し、ウレタン塗料で厚さ約７０μｍの塗装を施したところ、大きさが１０μｍ以上の表面ピットは８００個以上と、補修もできない低品位のものであった。
【手続補正５】
【補正対象書類名】明細書
【補正対象項目名】００５８
【補正方法】変更
【補正の内容】
【００５８】
続いて、実施例１と全く同様にして、該スポイラー外板を＃１０００のパーパーで水研、バフ研磨し、ウレタン塗料で厚さ約７０μｍの塗装を施したところ、大きさが１０μｍ以上の表面ピットがコーナー部を中心に３００個以上存在し、補修の効かない低品位のものであった。さらに、成形後の紐状体を観察したところ、コーナー部で紐状体にヘアークラックが入っていることが確認できた。
【手続補正書】
【提出日】平成18年2月24日(2006.2.24)
【手続補正１】
【補正対象書類名】特許請求の範囲
【補正対象項目名】全文
【補正方法】変更
【補正の内容】
【特許請求の範囲】
【請求項１】
記録紙に画像を形成する画像形成部と、
該画像形成部の上部に設けられ、該画像形成部により画像が形成された記録紙をスタックする排紙部と、
該排紙部の上部に設けられ、原稿の画像を読み取る画像読取部と
を備え、
前記排紙部は、該排紙部を開閉可能なカバーを有することを特徴とする画像形成装置。
【請求項２】
前記排紙部が排紙トレイを有し、該排紙トレイは前記カバーを一部に含むことを特徴とする請求項１に記載の画像形成装置。
【請求項３】
前記排紙部は、画像が記録された記録紙を反転して前記排紙トレイに搬送することを特徴とする請求項２に記載の画像形成装置。
【請求項４】
前記画像形成部はインクを使用してインクジェットプロセスを実行することにより記録紙に印字を行う印字部であることを特徴とする請求項１乃至３のいずれか一項に記載の画像形成装置。
【請求項５】
前記カバーは、回転操作により開閉される扉状のカバーであることを特徴とする請求項１乃至４のいずれか一項に記載の画像形成装置。
【請求項６】
請求項５記載の画像形成装置において、前記カバーは対向する２つのカバーを有し、該２つのカバーは互いに離間する方向に観音開きできることを特徴とする画像形成装置。
【請求項７】
前記カバーは、スライド操作により開閉されるカバーであることを特徴とする請求項１乃至４のいずれか一項に記載の画像形成装置。
【請求項８】
前記カバーは、回転操作により開閉される扉状のカバーと、スライド操作により開閉されるカバーとからなることを特徴とする請求項１乃至４のいずれか一項に記載の画像形成装置。
【請求項９】
前記カバーは、中間支点で回動可能に連結された２つの扉と、その一方の扉を前記排紙部の底部に回動可能に支持する回動支点とを有し、開放時には前記２つの扉が前記中間支点を支点にして中折れ状態に折りたたまれて前記回動支点を支点にして開放されるカバーであることを特徴とする請求項１乃至４のいずれか一項に記載の画像形成装置。
【請求項１０】
請求項１乃至９のいずれか一項に記載の画像形成装置において、
前記開閉可能なカバー以外に他のカバーを前記排紙部以外に開閉可能に備え、前記他のカバーはインターロックスイッチを有し、前記他のカバーの開放時には前記開閉可能なカバーの開放が制限されることを特徴とする画像形成装置。
【請求項１１】
請求項１乃至１０のいずれか一項に記載の画像形成装置において、
前記画像形成部の近傍に照明を設け、前記カバーを開放したときに前記照明が前記画像形成部近傍の記録紙搬送経路を照らすことを特徴とする画像形成装置。
【請求項１２】
請求項１乃至１１のいずれか一項に記載の画像形成装置において、前記カバーを開放したときにそこに形成される開口から視認可能な前記画像形成部の近傍の位置に鏡を配置したことを特徴とする画像形成装置。
【請求項１３】
請求項１乃至１２のいずれか一項に記載の画像形成装置において、
前記画像読取装置の底部における前記排紙部の開閉可能なカバーに対応する位置に透明部を有し、
前記開閉可能なカバーを開いたときに、記録紙の搬送方向において前記画像形成部の下流側が前記透明部を通して見えることを特徴とする画像形成装置。
【請求項１４】
請求項１３に記載の画像形成装置において、前記透明部を全て覆う大きさのシャッタを開閉可能に設けたことを特徴とする画像形成装置。
【手続補正２】
【補正対象書類名】明細書
【補正対象項目名】０００４
【補正方法】変更
【補正の内容】
【０００４】
この発明は上記の目的を達成するため、記録紙に画像を形成する画像形成部と、その画像形成部の上部に設けられ、その画像形成部により画像が形成された記録紙をスタックする排紙部と、その排紙部の上部に設けられ、原稿の画像を読み取る画像読取部とを備えた画像形成装置において、上記排紙部が、該排紙部を開閉可能なカバーを有することを特徴とする。
また、上記排紙部が排紙トレイを有し、その排紙トレイは上記カバーを一部に含むことができる。
さらに、その排紙部は、画像が記録された記録紙を反転して上記排紙トレイに搬送するようにしてもよい。
【手続補正３】
【補正対象書類名】明細書
【補正対象項目名】０００６
【補正方法】変更
【補正の内容】
【０００６】
また、上記カバーは、中間支点で回動可能に連結された２つの扉と、その一方の扉を排紙部の底部に回動可能に支持する回動支点とを有し、開放時には上記２つの扉が上記中間支点を支点にして中折れ状態に折りたたまれて上記回動支点を支点にして開放されるカバーにしてもよい。
さらに、上記いずれかの画像形成装置において、上記開閉可能なカバー以外に他のカバーを排紙部以外に開閉可能に備え、上記他のカバーはインターロックスイッチを有し、上記他のカバーの開放時には上記開閉可能なカバーの開放が制限されるようにするとよい。
【手続補正４】
【補正対象書類名】明細書
【補正対象項目名】０００７
【補正方法】変更
【補正の内容】
【０００７】
さらに、上記画像形成部の近傍に照明を設け、上記カバーを開放したときにその照明が画像形成部近傍の記録紙搬送経路を照らすようにするとよい。
さらにまた、上記カバーを開放したときにそこに形成される開口から視認可能な画像形成部の近傍の位置に鏡を配置するとよい。
また、上記画像読取装置の底部における上記排紙部の開閉可能なカバーに対応する位置に透明部を有し、上記開閉可能なカバーを開いたときに、記録紙の搬送方向において上記画像形成部の下流側が上記透明部を通して見えるようにすることもできる。
その場合、上記透明部を全て覆う大きさのシャッタを開閉可能に設けるとよい。
【手続補正５】
【補正対象書類名】明細書
【補正対象項目名】０００８
【補正方法】変更
【補正の内容】
【０００８】
この発明によれば、画像読取部の下側に設けられた排紙部のさらにその下側に位置する画像形成部やその近傍でジャムが発生しても、排紙部に開閉可能なカバーを設けているので、その排紙部のカバーを開放すれば、画像形成部やその近傍で発生したジャム紙を容易に取り除くことができる。
【手続補正書】
【提出日】平成18年2月8日(2006.2.8)
【手続補正１】
【補正対象書類名】明細書
【補正対象項目名】特許請求の範囲
【補正方法】変更
【補正の内容】
【特許請求の範囲】
【請求項１】  茶樹畝を跨ぐ門型フレームで構成される車体本体と、前記車体本体と連結されて畝間を走行する走行装置と、前記車体本体に対し上下動可能に配設され、後方への送風手段を有した摘採装置と、前記摘採装置の後方に配設され、前記摘採装置の送風手段により圧送された茶葉を収容する茶葉収容手段とを備えた乗用型茶葉摘採機において、前記摘採装置と前記茶葉収容手段とは搬送ダクトにより接続されており、該搬送ダクトは垂直方向に延長され、延長方向一端には前記茶木畝の幅方向のほぼ中央位置を境にして左右に振り分けられた空間部を構成するベンド部が、そして延長方向他端には前記茶葉収容手段前方に位置するベンド部がそれぞれ形成されていることを特徴とする乗用型茶葉摘採機。
【請求項２】  請求項１記載の乗用型茶葉摘採機において、前記搬送ダクトには、前記延長方向一端に位置するベンド部近傍に前記摘採装置側のノズルとは別に空気吐出ノズルが連通していることを特徴とする乗用型茶葉摘採機。
【請求項３】  請求項２記載の乗用型茶葉摘採機において、前記空気吐出ノズルは、前記搬送ダクトにおける延長方向一端に位置するベンド部の曲面のうちで曲率半径が小さい曲面に連続する周面内部に開口を有することを特徴とする乗用型茶葉摘採機。
【請求項４】  請求項２記載の乗用型茶葉摘採機において、前記空気吐出ノズルは、開口断面の形状が扁平とされていることを特徴とする乗用型茶葉摘採機。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
請求項２記載の発明は、請求項１記載の乗用型茶葉摘採機において、前記搬送ダクトには、前記延長方向一端に位置するベンド部近傍に前記摘採装置側のノズルとは別に空気吐出ノズルが連通していることを特徴としている。
【手続補正４】
【補正対象書類名】明細書
【補正対象項目名】００１１
【補正方法】変更
【補正の内容】
【００１１】
請求項３記載の発明は、請求項２記載の乗用型茶葉摘採機において、前記空気吐出ノズルは、前記搬送ダクトにおける延長方向一端に位置するベンド部の曲面のうちで曲率半径が小さい曲面に連続する周面内部に開口を有することを特徴としている。
【手続補正５】
【補正対象書類名】明細書
【補正対象項目名】００１２
【補正方法】変更
【補正の内容】
【００１２】
請求項４記載の発明は、請求項２記載の乗用型茶葉摘採機において、前記空気吐出ノズルは、開口断面の形状が扁平とされていることを特徴としている。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
【作用】
請求項１記載の発明では、摘採装置およびコンテナの近傍に延長方向各端部が位置している搬送ダクトが延長方向両端以外の区間を垂直方向に延長させて直線状であるので、搬送ダクト内で占める直線上の搬送路の長さを長くすることで搬送ダクト全域での圧力損失を極めて小さくすることができる。しかも、直線区間の両端に位置する曲部はベンド部で構成されているので、ベンド部での内径と曲率半径との比による圧力損失を最も小さくすることができる（ワイスバッハの式より）。この結果、曲部を含めた場合であっても搬送ダクト全域での圧力損失が低下しにくい状態に維持できる。
【手続補正９】
【補正対象書類名】明細書
【補正対象項目名】００１６
【補正方法】変更
【補正の内容】
【００１６】
請求項２乃至４記載の発明では、ベンド部を通過した際に圧力低下を生じている茶葉に対して加圧気流を付加することができ、しかも、加圧気流の付加方向がベンド部で曲率半径の小さい曲面を通過する茶葉を対象とした方向であるので、速度低下している茶葉に大きな加速力を与えて速度の低下を防止することができる。また、ベンド部を通過した茶葉を対象として扁平形状の開口から広範な範囲で加圧気流を付加できるので搬送される茶葉の殆どをコンテナに向け搬送することができる。
【手続補正１０】
【補正対象書類名】明細書
【補正対象項目名】００１７
【補正方法】削除
【補正の内容】
【手続補正１１】
【補正対象書類名】明細書
【補正対象項目名】００２１
【補正方法】変更
【補正の内容】
【００２１】
摘採装置４の左右両側には、水平方向に延びる支持フレーム４１が設けられており、この支持フレーム４１には昇降装置２３（図１参照）が連結されている。これにより、摘採装置４の刈刃４３は、昇降装置２３の昇降動作に応じて摘採位置に位置決めされる。
【手続補正１２】
【補正対象書類名】明細書
【補正対象項目名】００３０
【補正方法】変更
【補正の内容】
【００３０】
【発明の効果】
請求項１記載の発明によれば、摘採装置とコンテナとの対向位置以外の区間で搬送ダクトが垂直方向に延長されて直線状とされているので、曲部が存在した場合の圧力低下が最小限に抑えられ、摘採茶葉の移動速度が低下するのが防止できるので、効率的な茶葉の搬送が可能となる。しかも、搬送ダクトの延長方向両端に位置する曲部はベンド部で構成されているので、たとえ曲部であっても内径と曲率半径との比により圧力損失を最小限とすることができるので、直線区間とベンド部との組み合わせという簡単な構成により茶葉の搬送効率を低下させないようにすることができる。
【手続補正１３】
【補正対象書類名】明細書
【補正対象項目名】００３１
【補正方法】変更
【補正の内容】
【００３１】
請求項２乃至４記載の発明によれば、ベンド部を通過した際に圧力低下を生じている茶葉に対して加圧気流を付加することができ、しかも、加圧気流の付加方向がベンド部で曲率半径の小さい曲面を通過する茶葉を対象とした方向であるので、速度低下している茶葉に大きな加速力を与えて速度の低下を防止することができる。また、ベンド部を通過した茶葉を対象として扁平形状の開口から広範な範囲で加圧気流を付加できるので搬送される茶葉の殆どを無駄なくコンテナに向け搬送することが可能となる。
【手続補正１４】
【補正対象書類名】明細書
【補正対象項目名】００３２
【補正方法】削除
【補正の内容】
【手続補正１５】
【補正対象書類名】図面
【補正対象項目名】図１
【補正方法】変更
【補正の内容】
【図１】
2000270659.tif 000001
【手続補正書】
【提出日】平成18年5月25日(2006.5.25)
【手続補正１】
【補正対象書類名】明細書
【補正対象項目名】特許請求の範囲
【補正方法】変更
【補正の内容】
【特許請求の範囲】
【請求項１】  メニューの表示要求を入力するキーと、
少なくとも着信中の状況に対応付けられた第１のメニューと通話中の状況に対応付けられた第２のメニューとを記憶する記憶手段と、
少なくとも着信中か通話中かを検出する検出手段と、
前記キーが操作されると、前記検出手段による検出結果が着信中を示す場合は前記記憶手段から第１のメニューを読み出して表示部に表示させ、前記検出手段による検出結果が通話中を示す場合は前記記憶手段から第２のメニューを読み出して表示部に表示させる制御手段と
を具備することを特徴とする移動通信端末。
【請求項２】  メニューの表示要求を入力するキーと、多方向の押下それぞれに応じた入力を行う多機能キーとを有する入力部と、
少なくとも着信中の状況に対応付けられた第１のメニューと通話中の状況に対応付けられた第２のメニューとを記憶する記憶手段と、
少なくとも着信中か通話中かを検出する検出手段と、
前記キーが操作されると、前記検出手段による検出の結果が着信中を示す場合は前記記憶手段から第１のメニューを読み出して表示部に表示させ、前記検出手段による検出結果が通話中を示す場合は前記記憶手段から第２のメニューを読み出して表示部に表示させる表示制御手段と、
前記多機能キーの第１の方向および該第１の方向に対向する第２の方向の入力それぞれに応じて、前記表示部に表示された第１または第２のメニューの選択候補を変更するよう制御する選択候補制御手段と
を具備することを特徴とする移動通信端末装置。
【請求項３】  前記第１のメニューは、着信に対して応答するとともにこの着信を保留状態にするための選択項目を含むことを特徴とする請求項１または請求項２に記載の移動通信端末。
【請求項４】  前記第１のメニューは、着信を予め登録してある端末に転送するための選択項目を含むことを特徴とする請求項１または請求項２に記載の移動通信端末。
【請求項５】  メニューの表示要求を入力するキーと、多方向の押下それぞれに応じた入力を行う多機能キーとを有する入力部と、
メニューを含む情報の表示を行う表示部と、
少なくとも着信中に前記キーが操作された場合に表示される第１のメニューと通話中に前記キーが操作された場合に表示される第２のメニューとを記憶する記憶手段と、
少なくとも着信中か通話中かを検出する検出手段と、
前記キーが操作されると、前記検出手段による検出の結果が着信中を示す場合は前記記憶手段から第１のメニューを読み出して表示部に表示させ、前記検出手段による検出結果が通話中を示す場合は前記記憶手段から第２のメニューを読み出して前記表示部に表示させる表示制御手段と、
前記多機能キーの第１の方向および該第１の方向に対向する第２の方向の入力それぞれに応じて、前記表示部に表示された第１または第２のメニューの選択候補を変更するよう制御する選択候補制御手段と
を具備することを特徴とする移動通信端末装置。
【手続補正２】
【補正対象書類名】明細書
【補正対象項目名】０００１
【補正方法】変更
【補正の内容】
【０００１】
【発明の属する技術分野】本発明は、キー操作に応じてメニューを表示することのできる移動通信端末装置に関する。
【手続補正３】
【補正対象書類名】明細書
【補正対象項目名】０００６
【補正方法】変更
【補正の内容】
【０００６】
【課題を解決するための手段】本発明は、上記目的を達成するために以下ののように構成される。
本発明（請求項１）の移動通信端末は、メニューの表示要求を入力するキーと、少なくとも着信中の状況に対応付けられた第１のメニューと通話中の状況に対応付けられた第２のメニューとを記憶する記憶手段と、少なくとも着信中か通話中かを検出する検出手段と、前記キーが操作されると、前記検出手段による検出結果が着信中を示す場合は前記記憶手段から第１のメニューを読み出して表示部に表示させ、前記検出手段による検出結果が通話中を示す場合は前記記憶手段から第２のメニューを読み出して表示部に表示させる制御手段とを具備することを特徴としている。
【手続補正４】
【補正対象書類名】明細書
【補正対象項目名】０００７
【補正方法】変更
【補正の内容】
【０００７】
また、本発明（請求項２）の移動通信端末では、メニューの表示要求を入力するキーと、多方向の押下それぞれに応じた入力を行う多機能キーとを有する入力部と、少なくとも着信中の状況に対応付けられた第１のメニューと通話中の状況に対応付けられた第２のメニューとを記憶する記憶手段と、少なくとも着信中か通話中かを検出する検出手段と、前記キーが操作されると、前記検出手段による検出の結果が着信中を示す場合は前記記憶手段から第１のメニューを読み出して表示部に表示させ、前記検出手段による検出結果が通話中を示す場合は前記記憶手段から第２のメニューを読み出して表示部に表示させる表示制御手段と、前記多機能キーの第１の方向および該第１の方向に対向する第２の方向の入力それぞれに応じて、前記表示部に表示された第１または第２のメニューの選択候補を変更するよう制御する選択候補制御手段とを具備することを特徴としている。
【手続補正５】
【補正対象書類名】明細書
【補正対象項目名】０００８
【補正方法】変更
【補正の内容】
【０００８】
また、本発明（請求項５）の移動通信端末では、メニューの表示要求を入力するキーと、多方向の押下それぞれに応じた入力を行う多機能キーとを有する入力部と、メニューを含む情報の表示を行う表示部と、少なくとも着信中に前記キーが操作された場合に表示される第１のメニューと通話中に前記キーが操作された場合に表示される第２のメニューとを記憶する記憶手段と、少なくとも着信中か通話中かを検出する検出手段と、前記キーが操作されると、前記検出手段による検出の結果が着信中を示す場合は前記記憶手段から第１のメニューを読み出して表示部に表示させ、前記検出手段による検出結果が通話中を示す場合は前記記憶手段から第２のメニューを読み出して前記表示部に表示させる表示制御手段と、前記多機能キーの第１の方向および該第１の方向に対向する第２の方向の入力それぞれに応じて、前記表示部に表示された第１または第２のメニューの選択候補を変更するよう制御する選択候補制御手段とを具備することを特徴としている。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００２６
【補正方法】変更
【補正の内容】
【００２６】
【発明の効果】以上説明したように本発明によれば、移動通信端末の状況に応じ、この状況に合ったメニューを表示することが可能であるため、使用者が短時間で必要なメニュー選択を行うことができる。